(57)【要約】【課題】排気ガス等の被処理ガスに含有されている有機ハロゲン化合物を安全に且つ効率よく除去・無害化し、その処理も効率よく行うことのできる性能のよい有機ハロゲン化合物の除去・無害化装置の提供を課題とする。【解決手段】有機ハロゲン化合物を吸着する吸着剤３ａ、４ａを備えた吸着塔３、４と、有機ハロゲン化合物のハロゲンを無害化する触媒５ａを備えた触媒塔５と、吸着塔３に対して被処理ガスを導くと共に排出する被処理ガス導入排出手段と、吸着塔４に対して加湿状態の熱風を送って吸着されている有機ハロゲン化合物を脱離させ、更に吸着塔４を通過した熱風を触媒塔５に導いてハロゲン化合物の脱ハロゲン化を行わせる熱風導入手段とを有し、吸着塔３での吸着操作から吸着塔４での脱離操作及び触媒塔５での脱ハロゲン化操作までを、ダイオキシンの生成温度未満の処理温度で行うように構成した。【選択図】        図１
2005021786.tif 000002
【特許請求の範囲】
【請求項１】
被処理ガス中に含まれる有機ハロゲン化合物を被処理ガスから除去し、無害化する装置であって、前記有機ハロゲン化合物を吸着する吸着剤を備えた吸着塔と、有機ハロゲン化合物に結合しているハロゲンをハロゲン化水素として無害化する触媒を備えた触媒塔と、前記吸着塔に対して前記有機ハロゲン化合物を含む被処理ガスを導いて該有機ハロゲン化合物を被処理ガスから除去させると共に吸着塔を通過した被処理ガスを排出する被処理ガス導入排出手段と、有機ハロゲン化合物が吸着された吸着塔に対して加湿状態の熱風を送って前記吸着されている有機ハロゲン化合物を脱離させ、更に吸着塔を通過した熱風を前記触媒塔に導いてハロゲン化合物の脱ハロゲン化を行わせる熱風導入手段とを有し、前記吸着塔での有機ハロゲン化合物の吸着操作から、前記熱風による吸着塔での有機ハロゲン化合物の脱離操作及び触媒塔での有機ハロゲン化合物の脱ハロゲン化操作までを、ダイオキシンの生成温度未満の処理温度で行うように構成したことを特徴とする有機ハロゲン化合物の除去・無害化装置。
【請求項２】
吸着塔に備えられる吸着剤は、３０〜５０Åのマクロ細孔を有する炭素系吸着剤若しくはシリカ、アルミナ等の無機系多孔質物質であることを特徴とする請求項１に記載の有機ハロゲン化合物の除去・無害化装置。
【請求項３】
触媒塔に備えられる触媒は、Ｖ−ＴｉＯ２型、Ｖ−Ｗ−ＴｉＯ２型、若しくはＶ−Ｍｏ−ＴｉＯ２型のペレット又はハニカム構造物であることを特徴とする請求項１又は２に記載の有機ハロゲン化合物の除去・無害化装置。
【請求項４】
吸着塔での吸着操作を加熱することなく行う構成としたことを特徴とする請求項１〜３の何れかに記載の有機ハロゲン化合物の除去・無害化装置。
【請求項５】
吸着塔での吸着操作を１００℃以上、２００℃未満の処理温度で行う構成としたことを特徴とする請求項１〜３の何れかに記載の有機ハロゲン化合物の除去・無害化装置。
【請求項６】
熱風による吸着塔での有機ハロゲン化合物の脱離操作及び熱風による触媒塔での有機ハロゲン化合物の脱ハロゲン化操作を、１００℃以上、２００℃未満の処理温度で行う構成としたことを特徴とする請求項１〜５の何れかに記載の有機ハロゲン化合物の除去・無害化装置。
【請求項７】
吸着塔での有機ハロゲン化合物の脱離操作を１００℃以上、２００℃未満で行った後、吸着塔に２８０〜４５０℃の加湿状態の熱風を送って、吸着剤に残っている残余物の完全脱離・分解と吸着剤の再生を行う構成としたことを特徴とする請求項６に記載の有機ハロゲン化合物の除去・無害化装置。
【請求項８】
吸着塔は、少なくとも２塔以上用い、その一方の吸着塔においては、被処理ガス導入排出手段により有機ハロゲン化合物を含む被処理ガスを導いて該有機ハロゲン化合物を被処理ガスから除去させる操作を行わせ、他方の吸着塔においては、熱風導入手段により熱風を吸着塔に導入して該吸着塔に捕捉されている有機ハロゲン化合物を脱離させる操作と、該操作によって脱離されたハロゲン化合物を含む熱風を触媒塔へ送って熱風中の有機ハロゲン化合物を脱ハロゲン化する操作とを行わせるように構成したことを特徴とする請求項１〜７の何れかに記載の有機ハロゲン化合物の除去・無害化装置。
【発明の詳細な説明】
【０００１】
【発明の属する技術分野】
本発明は有機ハロゲン化合物を含む被処理ガスから有機ハロゲン化合物の除去・無害化を図る装置に関する。
【０００２】
【従来の技術】
市民の生活空間において使用される電化製品や繊維製品は、火災防止対策の観点から難燃剤を添加して製品化されている場合が多い。ポリ臭素化ビフェニルエーテル、四臭素化ビスフェノールＡ等の臭素化難燃剤（ＢＦＲ）、或いは環境ホルモン等は生殖器等への悪影響が指摘され、人類の生存を脅かす要因で、第２のＰＣＢと恐れられる所以である。
従来、ＢＦＲ又は環境ホルモン等は法規制されていないこともあって、具体的な対策技術の開発はなされておらず、対象製品の焼却・埋め立てなどの飛散防止に努める程度が一般的であった。
しかし欧米では、既に一部の環境ホルモンが規制されており、わが国でも平成１７年前後には法律によって規制される方向にあり、広範囲且つ厳密な処理技術の調査・対策が必要不可欠な状態となった。
特にＢＦＲ等の有害物質は、大気拡散を経て経口摂取され、生体に影響を及ぼすとされることから、より合理的且つ高性能で安価な処理装置、処理システムの開発が待たれる状況にある。
【０００３】
ＢＦＲや環境ホルモン等を含有する電気製品等は、これまでに高温焼却法や固形化埋め立て法が施行されてきたが、前者は過熱に伴うダイオキシン生成リスク、後者では完全対策ではないこと、再溶出、コストの点に問題があり、法律に対応するためには技術的に解決しなければならない課題が多く、製品関連の製造設備での排ガス処理や高性能な浄化処理システムの完成が必要とされているのが現状である。
ＢＦＲや環境ホルモン、その他の有機ハロゲン化合物の重要な発生源は、電気製品の製造に役立つ原料樹脂へのＢＦＲ等の添加・混合段階である製造装置、カーテン・カーペット等のインテリア繊維の難燃化処理のための製品段階での製造装置、廃棄物としての処理する過程での排ガス等である。
前者では製造段階で排ガス・粒子に含有され、後者では破砕、分別、燃焼によって発生する。
従って、ＢＦＲや環境ホルモン、その他の有機ハロゲン化合物を含む排ガスが当面の処理対象で、排ガスからのＢＦＲ等の有機ハロゲン化合物の捕捉・分離（除去）と、捕捉・分離した有機ハロゲン化合物を無害化する有用な装置やシステムの確立が重要となる。
【０００４】
【発明が解決しようとする課題】
上記ＢＦＲや環境ホルモン、その他の有機ハロゲン化合物の処理技術に関する研究は緒についた段階であり、有機ハロゲン化合物の処理においてはダイオキシン生成のリスクが付きまとう。
また被処理ガス中の有害物質である有機物、炭化水素、臭気物質、ハロゲン化炭化水素、有機ハロゲン化合物等には、一般に高温分解法が適用されて効果を上げてきたが、被処理ガスの加熱・昇温過程でダイオキシン生成温度域を通ることによるダイオキシン副生リスクがあった。また、その高温処理を回避する手段として触媒利用技術があるが、従来提供されているＰｄ、Ｐｔ等の貴金属触媒では、ハロゲン元素による触媒の被毒・失活の問題がある。
その他、排ガス等の被処理ガスからのＢＦＲ等の有機ハロゲン化合物の捕捉・分離（除去）と、捕捉・分離した有機ハロゲン化合物を無害化する、良高性能で安全有用な装置がなかった。
【０００５】
そこで本発明は排気ガス等の被処理ガスに含有されている有機ハロゲン化合物を安全に除去・無害化し、またそれらの処理を効率よく行うことができる性能のよい有機ハロゲン化合物の除去・無害化装置の提供を課題とする。
【０００６】
【課題を解決するための手段】
上記課題を解決するため、本発明の有機ハロゲン化合物の除去・無害化装置は、被処理ガス中に含まれる有機ハロゲン化合物を被処理ガスから除去し、無害化する装置であって、前記有機ハロゲン化合物を吸着する吸着剤を備えた吸着塔と、有機ハロゲン化合物に結合しているハロゲンをハロゲン化水素として無害化する触媒を備えた触媒塔と、前記吸着塔に対して前記有機ハロゲン化合物を含む被処理ガスを導いて該有機ハロゲン化合物を被処理ガスから除去させると共に吸着塔を通過した被処理ガスを排出する被処理ガス導入排出手段と、有機ハロゲン化合物が吸着された吸着塔に対して加湿状態の熱風を送って前記吸着されている有機ハロゲン化合物を脱離させ、更に吸着塔を通過した熱風を前記触媒塔に導いてハロゲン化合物の脱ハロゲン化を行わせる熱風導入手段とを有し、前記吸着塔での有機ハロゲン化合物の吸着操作から、前記熱風による吸着塔での有機ハロゲン化合物の脱離操作及び触媒塔での有機ハロゲン化合物の脱ハロゲン化操作までを、ダイオキシンの生成温度未満の処理温度で行うように構成したことを第１の特徴としている。
また本発明の有機ハロゲン化合物の除去・無害化装置は、上記第１の特徴に加えて、吸着塔に備えられる吸着剤は、３０〜５０Åのマクロ細孔を有する炭素系吸着剤若しくはシリカ、アルミナ等の無機系多孔質物質であることを第２の特徴としている。
また本発明の有機ハロゲン化合物の除去・無害化装置は、上記第１又は第２の特徴に加えて、触媒塔に備えられる触媒は、Ｖ−ＴｉＯ２型、Ｖ−Ｗ−ＴｉＯ２型、若しくはＶ−Ｍｏ−ＴｉＯ２型のペレット又はハニカム構造物であることを第３の特徴としている。
また本発明の有機ハロゲン化合物の除去・無害化装置は、上記第１〜３の何れかの特徴に加えて、吸着塔での吸着操作を加熱することなく行う構成としたことを第４の特徴としている。
また本発明の有機ハロゲン化合物の除去・無害化装置は、上記第１〜３の何れかの特徴に加えて、吸着塔での吸着操作を１００℃以上、２００℃未満の処理温度で行う構成としたことを第５の特徴としている。
また本発明の有機ハロゲン化合物の除去・無害化装置は、上記第１〜５の何れかの特徴に加えて、熱風による吸着塔での有機ハロゲン化合物の脱離操作及び熱風による触媒塔での有機ハロゲン化合物の脱ハロゲン化操作を、１００℃以上、２００℃未満の処理温度で行う構成としたことを第６の特徴としている。
また本発明の有機ハロゲン化合物の除去・無害化装置は、上記第６の特徴に加えて、吸着塔での有機ハロゲン化合物の脱離操作を１００℃以上、２００℃未満で行った後、吸着塔に２８０〜４５０℃の加湿状態の熱風を送って、吸着剤に残っている残余物の完全脱離・分解と吸着剤の再生を行う構成としたことを第７の特徴としている。
また本発明の有機ハロゲン化合物の除去・無害化装置は、上記第１〜７の何れかの特徴に加えて、吸着塔は、少なくとも２塔以上用い、その一方の吸着塔においては、被処理ガス導入排出手段により有機ハロゲン化合物を含む被処理ガスを導いて該有機ハロゲン化合物を被処理ガスから除去させる操作を行わせ、他方の吸着塔においては、熱風導入手段により熱風を吸着塔に導入して該吸着塔に捕捉されている有機ハロゲン化合物を脱離させる操作と、該操作によって脱離されたハロゲン化合物を含む熱風を触媒塔へ送って熱風中の有機ハロゲン化合物を脱ハロゲン化する操作とを行わせるように構成したことを第８の特徴としている。
【０００７】
上記第１の特徴によれば、被処理ガス導入排出手段によって有機ハロゲン化合物を含む被処理ガスが吸着剤を備えた吸着塔に導かれることで、被処理ガス中の有機ハロゲン化合物が前記吸着剤に吸着されて除去される。このときの吸着塔での被処理ガス中からの有機ハロゲン化合物の吸着操作は、ダイオキシンの生成温度未満で行われる。
前記の吸着操作によって十分にハロゲン化合物を吸着した吸着塔に対しては、熱風導入手段によって加湿状態の熱風が送られ、これによって吸着塔の吸着剤に吸着されて捕捉されている有機ハロゲン化合物が熱風中に脱離される。このときの熱風による吸着塔での有機ハロゲン化合物の脱離操作も、ダイオキシンの生成温度未満で行われる。
前記脱離操作で脱離され熱風中に含まれる有機ハロゲン化合物は、熱風と共に触媒を備えた触媒塔に導かれ、触媒塔の触媒により熱風中の有機ハロゲン化合物の脱ハロゲン化がなされ、無害化される。
前記吸着塔に送られる熱風には加湿がなされることで、吸着剤に吸着されている有機ハロゲン化合物の吸着剤からの脱離が容易に行われる。
よって第１の特徴によれば、被処理ガス中から有機ハロゲン化合物を、ダイオキシンが生成される恐れのある高温での処理を行うことなく、吸着・除去することができ、更に吸着・除去された有機ハロゲン化合物から、ダイオキシンが生成される恐れのある高温での処理を行うことなく、脱ハロゲン化を行うことができる。よって有機ハロゲン化合物の分解に先行して、有機ハロゲン化合物の脱ハロゲン化をダイオキシン等を発生させることなくできるので、その後の有機ハロゲン化合物（脱ハロゲン化されている）の分解を、あれこれ制限されることなく且つ安全に行うことができる。
また吸着塔での吸着剤からの有機ハロゲン化合物の脱離を加湿された熱風で行うことで、処理温度を高温に上げることなく、効率よく脱離を行うことができる。
【０００８】
また上記第２の特徴によれば、上記第１の特徴による作用効果に加えて、吸着塔に備えられる吸着剤を、３０〜５０Åのマクロ細孔を有する炭素系吸着剤若しくはシリカ、アルミナ等の無機系多孔質物質としたことで、ダイオキシンの生成温度未満の処理温度においても有機ハロゲン化合物を効果的に吸着して被処理ガスから除去することができる。
【０００９】
また上記第３の特徴によれば、上記第１又は第２の特徴による作用効果に加えて、触媒塔に備えられる触媒を、Ｖ−ＴｉＯ２型、Ｖ−Ｗ−ＴｉＯ２型、若しくはＶ−Ｍｏ−ＴｉＯ２型のペレット又はハニカム構造物としたことで、ダイオキシンの生成温度未満の処理温度において、効果的に、触媒塔に導かれてきた熱風中の有機ハロゲン化合物からＣｌ、Ｂｒ等のハロゲンを、ＨＣｌ、ＨＢｒ等のハロゲン化水素として無害化し、脱ハロゲン化を行うことができる。
【００１０】
また上記第４の特徴によれば、上記第１〜第３の何れかの特徴による作用効果に加えて、吸着塔での吸着操作を加熱することなく行うことで、被処理ガス中の有機ハロゲン化合物をダイオキシンの生成なく吸着・除去することができる。また加熱しないので省エネルギーである。
【００１１】
また上記第５の特徴によれば、上記第１〜第３の何れかの特徴による作用効果に加えて、吸着塔での吸着操作を１００℃以上、２００℃未満の処理温度で行うことで、被処理ガス中の有機ハロゲン化合物をダイオキシンの生成なく吸着・除去することができる。また１００℃以上に加熱することで、吸着塔で吸着剤による吸着・除去が効率よく行える。
【００１２】
また上記第６の特徴によれば、上記第１〜第５の何れかの特徴による作用効果に加えて、熱風による吸着塔での有機ハロゲン化合物の脱離操作、及びその後の触媒塔での脱ハロゲン化処理を、１００℃以上、２００℃未満で行うことで、それらの処理をダイオキシンが生成する恐れなく行うことができる。加えて１００℃以上に加熱することで、前記吸着塔での有機ハロゲン化合物の脱離、及び触媒塔での脱ハロゲン化処理を効率よく行うことができる。
【００１３】
また上記第７の特徴によれば、上記６の特徴による作用効果に加えて、吸着塔では１００℃以上、２００℃未満での脱離操作が行われた後に、最終的に２８０〜４５０℃の加湿状態の熱風を送って、吸着塔の残余物の完全脱離・分解と吸着剤の再生を行う構成としたことで、吸着塔での吸着剤の再生を十分に行うことができ、再使用に供することができる。
【００１４】
また上記第８の特徴によれば、上記第１〜第７の何れかの特徴による作用効果に加えて、少なくとも２塔以上の吸着塔が用いられ、その一方の吸着塔では被処理ガス導入排出手段によって被処理ガスからの有機ハロゲン化合物の吸着・除去の操作が行われ、前記吸着・除去操作を終了した他方の吸着塔では熱風導入手段によって既に吸着された有機ハロゲン化合物の脱離の操作と、脱離された有機ハロゲン化合物を熱風と共に触媒塔に送って脱ハロゲンを行う脱ハロゲン化の操作が行われる。このようにして吸着塔を２群に分けて、有機ハロゲン化合物の吸着・除去の操作と、有機ハロゲン化合物の脱離操作及び脱ハロゲン化操作とを、切り替えて行う構成とすることで、有機ハロゲン化合物の除去・無害化を連続処理して効率よく行うことができる。
【００１５】
【発明の実施の形態】
以下の図面を参照しながら、本発明の実施形態を更に説明する。
図１は本発明の第１の実施形態にかかる有機ハロゲン化合物の除去・無害化装置の概略構成図、図２は第１の実施形態の装置における各部での操作の処理温度を示す図である。図３は本発明の第２の実施形態にかかる有機ハロゲン化合物の除去・無害化装置の概略構成図、図４は第２の実施形態の装置における各部での操作の処理温度を示す図である。
【００１６】
先ず図１を参照して、本発明の第１の実施形態の装置を説明する。
この装置は、一対の吸着塔３、４を備え、また触媒塔５を備えている。
一方の吸着塔３に対しては、有機ハロゲン化合物を含む被処理ガスの発生源Ｘからの被処理ガス中に含まれる粒子等を除くフィルタ１と、フィルタ１を通過した被処理ガスを送風するブロア２とが接続されている。
被処理ガス発生源Ｘからの有機ハロゲン化合物を含む被処理ガスは、ブロア２によって搬送力をつけられ、ライン１１を経てフィルタ１を通過し、ライン１２、１３を経て吸着塔３に送られる。吸着塔３では、そこに備えられた吸着剤３ａによって、送られてきた被処理ガス中に含まれる有機ハロゲン化合物を吸着して除去する。吸着塔３を通過した被処理ガスは、ライン１４を経て排気される。これらフィルタ１、ブロア２、ライン１１、１２、１３、１４は被処理ガス導入排出手段を構成する。
なお図１中、実線で示すライン１１〜２０が稼動ラインで、破線で示すラインが待機ラインとなっている。
【００１７】
また他方の吸着塔４に対しては、触媒塔５、循環ブロア６、及び水タンク７、蒸発器８、熱交換器９が接続している。前記触媒塔５を経てきた循環ガスはライン１７を経て循環ブロア６でライン１８を熱交換器９側へ送られ、一方、前記水タンク７から水がライン１５を経て蒸発器８に入り、発生された蒸気がライン１６を通って熱交換器９へ送られる。熱交換器９では蒸気と前記循環ブロア６から送られてきた循環ガスとが混合され、加湿状態の熱風とされて、ライン１９を経て吸着塔４に送られる。この吸着塔４は、既に有機ハロゲン化合物を十分に吸着した吸着塔である。前記吸着塔４に送られた加湿状態の熱風により、吸着剤４ａに吸着されている有機ハロゲン化合物が吸着剤４ａから脱離される。吸着塔４を経た熱風はライン２０を経て触媒塔５に導かれ、触媒塔５に備えられた触媒５ａにより、熱風中の有機ハロゲン化合物の脱ハロゲン化が行われる。
前記循環ブロア６、水タンク７、蒸発器８、熱交換器９、ライン１８、１９は熱風導入手段を構成する。
前記循環ガスは窒素ガスとすることができる。そして加湿状態の熱風は蒸気が窒素ガスと混合されたものである。前記窒素ガスを用いることで、循環ガスを不活性として、脱離物の発火等を防止する。
【００１８】
上記において、吸着塔３と吸着塔４とは、それらに接続されるライン１３、１４と、ライン１９、２０とが、切り替えられることで、吸着塔３が吸着塔４となり、また吸着塔４が吸着塔３となる。吸着塔を少なくとも２塔備えることで、有機ハロゲン化合物の除去と、無害化及び吸着塔の再生との２つの系統からなる操作を連続的に行うことができる。勿論、吸着塔は２塔以上設けて、２群ないしそれ以上の群に分けて、吸着、無害化と再生、待機等の群とすることもできる。
【００１９】
有機ハロゲン化合物は、例えばポリ臭素化ビフェニルエーテル、四臭素化ビスフェノールＡ等の臭素化難燃剤（ＢＦＲ）とすることができる。また有機ハロゲン化合物を含む環境ホルモンであってもよい。
【００２０】
前記吸着塔３、４に備えられる吸着剤３ａ、４ａは、前記臭素化難燃剤（ＢＦＲ）又は環境ホルモンの吸着による捕捉と分解時の吸着剤からの脱離を考慮して、３０〜５０Åのマクロ細孔からなる炭素系吸着剤、又はシリカ、アルミナ等の無機系多孔質物質とし、これを吸着塔３、４に充填する。
また吸着塔３における吸着操作は、いわゆる室温で行い、被処理ガスや吸着剤３ａを加熱することなく行う。
【００２１】
前記触媒塔５に備えられる触媒５ａは、有機ハロゲン化合物の一部として結合しているＣｌやＢｒ等をＨＣｌやＨＢｒ等のハロゲン化水素として触媒５ａに固定若しくはガスとして排出することで、有機ハロゲン化合物を無害化するものである。この触媒５ａとして、ＴｉＯ２に１〜３５％の酸化バナジウムと、１〜４０％の酸化タングステン又は酸化モリブデンを担持させたＶ−Ｗ−ＴｉＯ２型又はＶ−Ｍｏ−ＴｉＯ２型のペレット又はハニカム構造物を用いることができる。Ｖ−ＴｉＯ２型のものを用いてもよい。
【００２２】
前記熱風による吸着塔４での有機ハロゲン化合物の吸着剤４ａからの脱離操作は、１００℃以上、２００℃未満で行う。好ましくは１８０±１５℃で行うのがよい。
前記脱離操作は１００℃以上の蒸気を加湿した熱風で行うため、蒸気の凝縮を防止するために、その最低温度を１００℃とし、一方、有機ハロゲン化合物からダイオキシンの生成の恐れを避けるために、最高温度を２００℃未満とした。
【００２３】
前記熱風に水蒸気を加えて加湿状態の熱風として脱離操作を行うことで、吸着剤４ａに吸着している有機ハロゲン化合物と水分との置換を行わせ、これによって脱離を促進させることができる。
熱風に含まれる蒸気の湿度をどの程度にするかは、吸着剤４ａの性状にもよるが、吸着剤４ａの表面で蒸気の部分凝縮が生じるような湿度とすることができる。蒸気の部分凝縮が吸着剤４ａの表面で生じると、この凝縮熱により吸着している有機ハロゲン化合物の分子が吸着剤４ａの表面から容易に飛び出す。
前記熱風の好ましい湿度は、吸着剤４ａが活性炭の場合は、６０％以上になるが、蒸気潜熱によるエネルギー消費を考慮して、各条件毎に予め実験による適当な値を定めることになる。
【００２４】
前記触媒塔５での脱ハロゲン化操作は、１００℃以上、２００℃未満の処理温度とする。好ましくは１８０±１５℃とする。この処理温度は前記熱風導入手段により作られる熱風の温度と同じである。熱風導入手段により作られた熱風は吸着塔４を経て触媒塔５に導かれる。このとき温度は吸着塔５での処理温度よりも次第に低下するが、脱ハロゲン化操作の処理温度範囲として同じ範囲としている。この温度範囲とすることで、有機ハロゲン化合物によるダイオキシンの生成の恐れを避けながら、且つ加熱することで触媒５ａによる脱ハロゲン化を効率よく行わせることができる。
【００２５】
前記吸着塔４については、前記１００℃以上、２００℃未満の処理温度での脱ハロゲン化操作が終了した後、吸着剤４ａの再生操作を行う。この再生操作では、２８０〜４５０℃、好ましくは３６０±２０℃の加湿状態の熱風を熱風導入手段により吸着塔４に送る。熱風により、吸着剤４ａに脱離されないで残っている残余物の完全脱離と分解を行うと共に、吸着剤４ａのマクロ細孔或いはハニカム構造の回復、再生を行う。
熱風に加湿する理由は、既述した理由と同じである。また２８０〜４５０℃の下限である２８０℃はダイオキシンを生成する温度領域を回避すると共に、吸着剤を再生させるのに必要な最低温度である。
【００２６】
図２は、図１における吸着塔３での吸着操作の処理温度（加熱されない処理温度としての室温ＲＴ）、吸着塔４での脱離操作の処理温度（１８０±１５℃）と再生操作の処理温度（３６０±２０℃）、及び触媒塔５での脱ハロゲン化操作の処理温度（１８０±１５℃）とを示す。
【００２７】
図３及び図４を参照して、本発明の第２の実施形態の装置を説明する。
第２の実施形態の装置は第１の実施形態の装置に較べて、吸着塔３、４に温度調節器３ｂ、４ｂを設けている点で異なる。またライン１４の途中に排ガス熱交換器１０を設けて、被処理ガス発生源Ｘからの被処理ガスを、前記排ガス熱交換器１０を経て熱交換加熱してライン１１に導くようにしている点で異なる。
また本第２の実施形態では、吸着塔３において行う被処理ガスからの有機ハロゲン化合物の吸着操作を１００℃以上、２００℃未満の処理温度、好ましくは１８０±１５℃の処理温度に加熱して行う。
この吸着操作によって、被処理ガス中の有機ハロゲン化合物を吸着剤３ａに吸着して除去すると共に、更に吸着された有機ハロゲン化合物の一部を熱によって脱ハロゲン化反応させて無害化することができる。しかし、この程度の加熱温度では、被処理ガス中の油分等の高沸点物質は分解・脱離できず、やがて吸着剤３ａは活性を失う。
前記活性を失った吸着塔３は吸着塔４として切り替え、熱風導入手段により加湿した熱風を送って、前記吸着操作時に吸着剤４ｂに吸着された有機ハロゲン化合物（一部は脱ハロゲン化されている）を脱離し、触媒塔５に送って脱ハロゲン化を行い、無害化する。
他の構成、作用は既述した第１の実施形態の装置と同じである。同じ機能を果たす部材には同じ符号を付して、説明を省略する。
【００２８】
図４は、図３における吸着塔３での吸着操作の処理温度（１８０±１５℃）、吸着塔４での脱離操作の処理温度（１８０±１５℃）と再生操作の処理温度（３６０±２０℃）、及び触媒塔５での脱ハロゲン化操作の処理温度（１８０±１５℃）とを示す。
【００２９】
【実施例】
（実施例１）
図１又は図３に示すような装置を用い、吸着剤として３５〜４０Åのマクロ細孔が全体の９５％を占める活性炭素吸着剤を用いて、四臭素化ビスフェノールＡの吸着操作を、次の各処理温度と、四臭素化ビスフェノールＡの濃度のガスを用いて行った。
吸着操作処理温度      ２６℃、  ８５℃
濃度（ｐｐｍ）        ０．１、  ０．５、  １．０
【００３０】
上記実施例１による四臭素化ビスフェノールＡの平衡吸着率の測定結果を表１に示す。
【００３１】
【表１】
2005021786.tif 000003
【００３２】
（実施例２）
次に実施例１において吸着剤に吸着された四臭素化ビスフェノールＡの熱風による脱離操作を、次の条件で行った。
熱風の種類            窒素ガス、  窒素ガス＋蒸気加湿
脱離操作処理温度      １５０℃、  １８３℃、  ２４７℃、  ３２０℃
【００３３】
上記実施例２による脱離率の測定結果を表２に示す。
【００３４】
【表２】
2005021786.tif 000004
【００３５】
（実施例３）
次に実施例２において脱離された四臭素化ビスフェノールＡの触媒塔５での脱ハロゲン化操作を、次の条件で行った。
使用触媒                Ｖ−Ｗ−ＴｉＯ２（ハイブリットペレット触媒）
操作処理温度            １３３℃、  １７０℃、  ２２６℃、  ２４４℃
空塔速度ＳＶ（ｌ／ｈ）  ８００、  ３７００
【００３６】
上記実施例３による脱ハロゲン化率の測定結果を表３に示す。
【００３７】
【表３】
2005021786.tif 000005
【００３８】
【発明の効果】
本発明は以上の構成、作用よりなり、請求項１に記載の有機ハロゲン化合物の除去・無害化装置によれば、被処理ガス中から有機ハロゲン化合物を、ダイオキシンが生成される恐れのある高温での処理を行うことなく、吸着・除去することができ、更に吸着・除去された有機ハロゲン化合物から、ダイオキシンが生成される恐れのある高温での処理を行うことなく、脱ハロゲン化を行うことができる。よって有機ハロゲン化合物の分解に先行して、有機ハロゲン化合物の脱ハロゲン化をダイオキシン等を発生させることなくできるので、その後の有機ハロゲン化合物（脱ハロゲン化されている）の分解を、あれこれ制限されることなく、且つ安全に行うことができる。
また吸着塔での吸着剤からの有機ハロゲン化合物の脱離を加湿された熱風で行うことで、処理温度を高温に上げることなく効率よく脱離を行うことができる。
また請求項２に記載の有機ハロゲン化合物の除去・無害化装置によれば、上記請求項１に記載の構成による効果に加えて、吸着塔に備えられる吸着剤を、３０〜５０Åのマクロ細孔を有する炭素系吸着剤若しくはシリカ、アルミナ等の無機系多孔質物質としたことで、ダイオキシンの生成温度未満の処理温度においても有機ハロゲン化合物を効果的に吸着して被処理ガスから除去することができる。
また請求項３に記載の有機ハロゲン化合物の除去・無害化装置によれば、上記請求項１又は２に記載の構成による効果に加えて、触媒塔に備えられる触媒をＶ−ＴｉＯ２型、Ｖ−Ｗ−ＴｉＯ２型、若しくはＶ−Ｍｏ−ＴｉＯ２型のペレット又はハニカム構造物としたことで、ダイオキシンの生成温度未満の処理温度において、効果的に触媒塔に導かれてきた熱風中の有機ハロゲン化合物からＣｌ、Ｂｒ等のハロゲンを、ＨＣｌ、ＨＢｒ等のハロゲン化水素として無害化し、脱ハロゲン化を行うことができる。
また請求項４に記載の有機ハロゲン化合物の除去・無害化装置によれば、上記請求項１〜３の何れかに記載の構成による効果に加えて、吸着塔での吸着操作を加熱することなく行うことで、被処理ガス中の有機ハロゲン化合物をダイオキシンの生成なく吸着・除去することができる。しかも加熱しないので省エネルギーである。
また請求項５に記載の有機ハロゲン化合物の除去・無害化装置によれば、上記請求項１〜３の何れかに記載の構成による効果に加えて、吸着塔での吸着操作を１００℃以上、２００℃未満の処理温度で行うことで、被処理ガス中の有機ハロゲン化合物をダイオキシンの生成なく吸着・除去することができる。また１００℃以上に加熱することで、吸着塔で吸着剤による吸着・除去が効率よく行える。
また請求項６に記載の有機ハロゲン化合物の除去・無害化装置によれば、上記請求項１〜５の何れかに記載の構成による効果に加えて、熱風による吸着塔での有機ハロゲン化合物の脱離操作、及びその後の触媒塔での脱ハロゲン化処理を、１００℃以上、２００℃未満で行うことで、それらの処理をダイオキシンが生成する恐れなく行うことができる。加えて１００℃以上に加熱することで、前記吸着塔での有機ハロゲン化合物の脱離、及び触媒塔での脱ハロゲン化処理を効率よく行うことができる。
また請求項７に記載の有機ハロゲン化合物の除去・無害化装置によれば、上記請求項１〜６の何れかに記載の構成による効果に加えて、吸着塔では１００℃以上、２００℃未満での脱離操作が行われた後に、最終的に２８０〜４５０℃の加湿状態の熱風を送って、吸着塔の残余物の完全脱離・分解と吸着剤の再生を行う構成としたことで、吸着塔での吸着剤の再生を十分に行うことができ、再使用に供することができる。
また請求項８に記載の有機ハロゲン化合物の除去・無害化装置によれば、上記請求項１〜７の何れかに記載の構成による効果に加えて、有機ハロゲン化合物の吸着・除去の操作と、有機ハロゲン化合物の脱離操作及び脱ハロゲン化操作とを、２以上の吸着塔で切り替えて行うことができ、有機ハロゲン化合物の除去・無害化を実質的に連続処理して効率よく行うことができる。
【図面の簡単な説明】
【図１】本発明の第１の実施形態にかかる有機ハロゲン化合物の除去・無害化装置の概略構成図である。
【図２】第１の実施形態の装置における各部での操作の処理温度を示す図である。
【図３】本発明の第２の実施形態にかかる有機ハロゲン化合物の除去・無害化装置の概略構成図である。
【図４】第２の実施形態の装置における各部での操作の処理温度を示す図である。
【符号の説明】
１      フィルタ
２      ブロア
３、４  吸着塔
３ａ、４ａ  吸着剤
５      触媒塔
５ａ    触媒
６      循環ブロア
７      水タンク
８      蒸発器
９      熱交換器
１０    排ガス熱交換器
１１〜２０  ライン
【図１】
2005021786.tif 000006
【図２】
2005021786.tif 000007
【図３】
2005021786.tif 000008
【図４】
2005021786.tif 000009